(57)【要約】【課題】耳部の形状、大きさ等に関わりなく、ダイエット効果のある、胃点、肺点及び飢点の的確で簡便な探測と、当該つぼへの常時一定した刺激力の付与によるダイエット効果及び健康機能効果を促進すると共に、アクセサリー機能を有するイヤリングの提供。【課題を解決するための手段】イヤリングＡは、形状記憶機能を有するゲルマニウムを含有する合成樹脂材で一体的に成型され、リング部１は、一部が分離され、一端側には耳つぼを探測、刺激するための突起部２が形成され、該突起部２は、支持部２ａとその先端に形成された曲面状等各種形状のアタッチメント２ｂからなり、リング部１が分離された他端側には、カール部３がリング部１の内方に向けて半円状に曲成され、突起部２のアタッチメント２ｂとの近接面には、空間部３ａが形成されている。【選択図】図１
0003126179.tif 000002
【実用新案登録請求の範囲】
【請求項１】
耳珠部及び耳部内にある耳つぼの胃点、肺点及び飢点を探測してこれを刺激し、ダイエット効果とアクセサリー機能を高める、ダイエット用イヤリングであって、
合成樹脂材を素材とする弾性帯状板からなり、一部が分離され、全体形状を正面視ほぼハート近似形としたリング部と、
前記リング部が分離された一端側に形成された、耳つぼを探測、刺激するための突起部と、
前記リング部が分離された他端側に形成された、耳つぼと対面部位の耳珠部及び耳部に当接するためのカール部と、
からなる、ダイエット用イヤリング。
【請求項２】
前記合成樹脂材が、形状記憶機能を有するポリプロピレン系、ポリウレタン系、ポリウレタン−ユリアポリマー系、ポリノルボルネン系、トランスポリイソプレン系及びスチレン−ブタジエン系から選ばれた樹脂で、前記リング部、突起部及びカール部が一体的に成型されていることを特徴とする、請求項１記載のダイエット用イヤリング。
【請求項３】
前記合成樹脂材中にゲルマニウムを含有していることを特徴とする、請求項１〜請求項２の何れかに記載のダイエット用イヤリング。
【請求項４】
前記突起部の先端には、曲面状、円柱状、円錐状、三角錐状又は角錐状の他、各種幾何図形状からなるアタッチメントが形成されていることを特徴とする、請求項１〜請求項３の何れかに記載のダイエット用イヤリング。
【請求項５】
前記アタッチメントの素材が、チタン、金粒、銀粒、各種金属又は永久磁石からなることを特徴とする、請求項１〜請求項４の何れかに記載のダイエット用イヤリング。
【請求項６】
前記突起部の先端とカール部の近接面間に少なくとも、約１．５ｍｍ〜２．５ｍｍの空間部が形成されていることを特徴とする、請求項１〜請求項５の何れかに記載のダイエット用イヤリング。
【請求項７】
前記リング部、突起部及びカール部は透明、白色、乳白色又は着色してなることを特徴とする、請求項１〜請求項６の何れかに記載のダイエット用イヤリング。
【考案の詳細な説明】
【技術分野】
【０００１】  本考案は、ダイエット用イヤリングに係り、より詳しくは、耳珠部及び耳部内にある副交感神経の耳介枝に分布するつぼ、いわゆる耳つぼの胃点、肺点又は飢点を探測してこれを刺激し、ダイエット効果及び健康機能効果を促進すると共に、アクセサリー機能を高める、ダイエット用イヤリングに関する。
【背景技術】
【０００２】  近年における我国の食生活は、飽食の時代と称され、食材、メニュー等が欧米型となると共に毎食の摂取カロリーの増加に加え、ＩＴ機器等による社会生活の激変、また職場でのストレス等々で、男女を問わず多くの人が肥満の悩みを持っている。【０００３】  中国医学では、古来より人体の体表面には多数のつぼ（経穴、経路）といわれる押圧、刺激点があり、そのつぼを刺激することによって、肩こり、頭痛、血行不良その他の症状が緩和されることが知られている。また片耳だけでも１６６のつぼがあるといわれ、とくにダイエットに効果がある、胃点、肺点及び飢点に存在する迷走神経（耳介枝）を刺激すれば、脳の視床下部にある食欲をコントロールする神経核を、反射の中枢として副交感神経に抑制的に作用し、その結果、消化器管（胃腸）の運動、消化液の分泌と食欲の低下が起こり、ダイエット効果が顕れるとされている。【０００４】  耳珠部及び耳部の形状、大きさ等は、男女、成育年齢等で個人差があり、各つぼの部位も微妙に異なるために、一般人による的確なつぼの探測は困難である。つぼの探測は、専門家である鍼灸師、医師によるか、又は鍼灸院、施術院等に行き、耳つぼ探測器、耳電探測器等の機器を利用しなければならないという煩雑さがある。【０００５】  従来から人体の各症状に最適とされる皮下のつぼに皮内針や円皮針等を皮下のつぼに刺入し、症状の緩和と治癒等を目的とする、耳針療法が行われている。耳針療法においては、針を刺入するので痛みがあり、また鍼灸師や医師による施術によるので、時間と共に高額の費用がかかる等の欠点が指摘されている。【０００６】  耳針療法の欠点を除去するために多くの提案がなされ、例えば登録実用新案３０２４３７８及び特開平９−１０８３６６として開示されている。登録実用新案３０２４３７８の耳珠用ダイエットイヤリングは、図９に示すように耳珠の外側に当たる部分１０と耳珠の内側に当たる部分２０を、弾力性のある材質３０で接続して作ったことを特徴としている。また、特開平９−１０８３６６のダイエットイヤリングは、バネ線材からなるリング部と、丸みを持たせた形状に形成され、かつ、内部に磁石が埋め込まれた狭止部からなり、前記狭止部による押圧、及び前記狭止部内部の磁石による磁気により、聴宮を刺激することを特徴とするものである。
【特許文献１】登録実用新案第３０２４３７８号公報
【特許文献２】特開平９−１０８３６６号公報
【考案の開示】
【考案が解決しようとする課題】
【０００７】  上記の特許文献１は、耳珠の部分にある、渇点、飢点の２つのツボを、外側に当たる部分１０と耳珠の内側に当たる部分２０とで挟み、接続部の弾力で押圧、刺激するとしているが、渇点、飢点の２つのツボはいわば、内側と外側の圧接板で挟圧するだけとなり、つぼへの刺激は散漫となるためにダイエット効果は少ない。また使用頻度が増せば、接続部の弾力は弱くなり、必然的にツボへの刺激は緩くなり、ダイエット効果は期待できない。【０００８】  特許文献２によれば、狭止部と狭止部内部の磁石によるつぼ刺激が行われるが、経時的な磁力の減衰によってその刺激力も弱化し、ダイエット効果も少なくなり、また磁石を狭止部内部への埋め込みは、手作業であるから、生産効率が悪く製作コストが高くなり、市場性にも問題となっている。【０００９】  本考案が解決しようとする第１の課題は、耳部の形状、大きさ等に関わりなく、ダイエット効果のある、胃点、肺点及び飢点についての的確で簡便な探測であり、第２の課題は、当該つぼへの常時一定した刺激力の付与によるダイエット効果及び健康機能効果を促進する、イヤリングを提供することにあり、また第３の課題は、多くの肥満体者が有するコンプレックスからくる、ダイエット中であることを、他人に知られたくないとの願望を満足させると共に、アクセサリー機能を有するイヤリングの提供である。
【課題を解決するための手段】
【００１０】  本考案者等は、上記従来技術が有する各種の問題点に鑑み、鋭意検討し完成されたもので、課題を解決するための手段は、本願、実用新案登録請求の範囲における各請求項に記載の考案であり、その具体的な解決手段は、以下の通りである。【００１１】  課題を解決するための第１の考案は、請求項１に記載の考案であり、耳珠部及び耳部内にある耳つぼの胃点、肺点及び飢点を探測してこれを刺激し、ダイエット効果とアクセサリー機能を高める、ダイエット用イヤリングであって、合成樹脂材を素材とする弾性帯状板からなり、一部が分離され、全体形状を正面視ほぼハート近似形としたリング部と、前記リング部が分離された一端側に形成された、耳つぼを探測、刺激するための突起部と、前記リング部が分離された他端側に形成された、耳つぼと対面部位の耳珠部及び耳部に当接するためのカール部と、からなることを特徴としている。【００１２】  上記の課題を解決するための第２の考案は、請求項２に記載の考案であり、前記合成樹脂材が、形状記憶機能を有するポリプロピレン系、ポリウレタン系、ポリウレタン−ユリアポリマー系、ポリノルボルネン系、トランスポリイソプレン系及びスチレン−ブタジエン系から選ばれた樹脂で、前記リング部、突起部及びカール部が一体的に成型されていることを特徴としている。【００１３】  課題を解決するための第３の考案は、請求項３に記載の考案であり、前記合成樹脂材中にゲルマニウムを含有していることを特徴としている。【００１４】  課題を解決するための第４の考案は、請求項４に記載の考案であり、前記突起部の先端には、曲面状、円柱状、円錐状、三角錐状又は四角錐状の他、各種幾何図形状からなるアタッチメントが形成されていることを特徴としている。【００１５】  課題を解決するための第５の考案は、請求項５に記載の考案であり、前記アタッチメントの素材が、チタン、金粒、銀粒、各種金属又は永久磁石からなることを特徴としている。【００１６】  課題を解決するための第６の考案は、請求項６に記載の考案であり、前記突起部の先端とカール部の近接面間に少なくとも、約１．５ｍｍ〜２．５ｍｍの空間部が形成されていることを特徴としている。【００１７】  課題を解決するための第７の考案は、請求項７に記載の考案であり、前記リング部、突起部及びカール部は透明、白色、乳白色又は着色してなることを特徴している。
【考案の効果】
【００１８】  本考案に係る、ダイエット用イヤリングは、上記の構成になるから以下の効果を奏する。第１の考案によれば、つぼ位置の簡便な探測という、第１の課題が解決できる。即ち、リング部の分離された一端側に形成された突起部の近傍を指先で把持し、他端側のカール部で耳裏部又は耳珠裏部を挟むようにし、突起部の先端で耳のほぼ中心に当たる部分又は耳珠部を摺動するように移動させ、敏感に感じる部位を胃点、肺点及び飢点として容易に特定できる。【００１９】  また第１〜第６の考案によれば、第２の課題である、当該つぼへの常時一定した刺激力の付与によるダイエット効果及び健康機能効果を促進する、イヤリングの提供という課題が解決できる。ダイエット用イヤリングを構成するリング部、突起部及びカール部が、ゲルマニウムを含有する形状記憶機能を有する合成樹脂材で一体的に成型され、チタン、金粒、銀粒、各種金属又は永久磁石からなる突起部先端のアタッチメントとカール部の近接面間に形成された空間部で胃点、肺点又は飢点を挟圧することにより、当該つぼに常時一定した刺激力を付加することができ、確実なダイエット効果と健康機能効果を促進することができる。また、着用者の耳部の形状、大きさ等の差異からくる微妙なつぼ位置の変位には、両手を使い、リング部を拡大又は縮小することによって、容易に対応できる、汎用性がある。【００２０】  第７の考案は、第３の課題を解決するための手段で、リング部、突起部及びカール部は透明、白色、乳白色又は着色してなるので、着用者は、その日の着衣、マニキュアの色合い等に適応する色に着色したダイエット用イヤリングを選択するか、又は白色のダイエット用イヤリングをマニキュア等で着色し、アクセサリー感覚で耳部に装着することができ、またダイエットしていることを他人に知られることが少ない。
【考案を実施するための最良の形態】
【００２１】  以下、本考案に係る、ダイエット用イヤリング（以下、イヤリングＡという）に関する最良の実施形態について、図面を参照しながら詳細に説明する。図１は、イヤリングＡの全体構成を示す正面図、図２は、同平面図、図３は、図２における３−３線断面図、図４は、図１における４−４線断面図、図５（ａ）〜（ｆ）は、アタッチメントの各種形状を例示する斜視図、図６は、耳部における主なつぼの部位を示す正面図、図７（ａ）、（ｂ）、（ｃ）は、イヤリングＡの装着と使用態様を示す正面図、図８（ａ）、（ｂ）は、イヤリングＡの大きさ調整の態様を示す正面図、図９は、従来例を示す斜視図である。【００２２】  イヤリングＡは、図１〜図４に示すように、リング部１、突起部２及びカール部３を主な構成部材とし、全体形状が正面視ほぼハート近似形を成しており、その素材は、ガラス転移温度を４０℃〜１００℃とした、形状記憶機能を有する合成樹脂材、例えばポリプロピレン系、ポリウレタン系、ポリウレタン−ユリアポリマー系、ポリノルボルネン系、トランスポリイソプレン系及びスチレン−ブタジエン系の中から選択され、選択し、溶融された合成樹脂材中には、健康機能効果を有する粉末状ゲルマニウムを所定量混入して混錬し、従来の公知技術である成型法により、リング部１、突起部２及びカール部３は、一体的に成型される。【００２３】  図２に示すように、リング部１の最大外径Ｌは、約１８ｍｍ〜２０ｍｍで、その巾Ｄは約３．５ｍｍ〜４．５ｍｍで、帯状板の厚さは約１．５ｍｍ〜２．５ｍｍとされている。リング部１は、一部が分離され、一端側には耳つぼを探測、刺激するための突起部２が形成され、該突起部２は、図示するようにやや内方に向けて屈曲し、直径約２ｍｍ、長さ１．５ｍｍの支持部２ａが形成され、その先端に半球状のアタッチメント２ｂが形成されている。該アタッチメント２ｂは、リング部１、支持部２ａ及びカール部３と同一素材の形状記憶機能を有する合成樹脂材とするか、又は耐蝕性を有する、チタン、金粒、銀粒、各種金属又は永久磁石から選択され、接着剤等を介して支持部２ａ又はリング部１の端部に固着される。またリング部１が分離された他端側には、直径約７．５ｍｍ〜８．５ｍｍのカール部３がリング部１の内方に向けて半円状に曲成され、突起部２のアタッチメント２ｂとの近接面には、空間部３ａが形成されている。【００２４】  図５（ａ）〜（ｆ）は、アタッチメントの各種形状を例示するもので、図５（ａ）は、図１の突起部２を拡大して示し、支持部２ａ等と半球状のアタッチメント２ｂが一体成形されている。上述のように該アタッチメント２ｂをチタン、金粒、銀粒等を固着することもできる。図５（ｂ）は、支持部２ａとアタッチメント２ｂが同径とされ、図５（ｃ）は、アタッチメント２ｂが支持部２ａより大径としている。図５（ｄ）は、支持部２ａに円錐状のアタッチメント２ｂを形成し、図５（ｅ）は、円錐状のアタッチメント２ｂが突起部２に立設され、図５（ｅ）は、支持部２ａに三角錐状のアタッチメント２ｂを形成している。図５（ｆ）は、円柱状支持部２ａに三角錐状のアタッチメント２ｂが形成されている。アタッチメント２ｂは、図５（ａ）〜（ｆ）に例示するものの他、四���錐状、楕円形状等各種の幾何図形状のものが選択される。【００２５】  図６は、耳部にある主なつぼの位置を示し、４は胃点で耳部内のほぼ中心部にあるもので、５は飢点と称され、両者は特にダイエット効果が顕著とされるつぼで、６は子宮、７は神門、８は肺点、９は内分泌点である。【００２６】  イヤリングＡの胃点４への装着と使用態様を、図７（ａ）〜（ｃ）を中心に説明する。図７（ａ）は、胃点４にイヤリングＡを装着した状態で、着用者は、図７（ｂ）に示すように、鏡等を見ながら両手の指先Ｆ１、Ｆ２で左右の耳のどちらか比較的敏感な耳を選び（一般的には、右利きの人は右耳、左利きは左耳が敏感）、そのほぼ中心部にあると思われる胃点４の近傍に突起部２のアタッチメント２ｂを当接しながら摺動すると、ピリピリという感触がある部位がつぼの胃点４で、アタッチメント２ｂをその位置に固定しながら、カール部３をアタッチメント２ｂに対応する耳裏部位に装着する。イヤリングＡは、基本的には起床から就寝時まで装着するが、食事前（約５〜２０分）及び食欲を大きく感じたときは、図７（ｃ）に示すように、片手の指先Ｆ１等でイヤリングＡの突起部２及びカール部３を把持し、約１０回〜５０回軽く押圧し、通常の装着時よりも圧力が大きくかかるように刺激する。これは、空腹感の減少と満腹感の亢進を促し、食事量を減少させると共に、心理的条件付けの作用として、着用者がダイエット中であることの潜在意識を強く認識させる目的がある。【００２７】  着用者の耳部の形状、大きさ等には個人差があり、イヤリングＡを耳部に装着したとき、緩く感じたときは、図８（ａ）に示すように、片手の指先Ｆ１等でイヤリングＡの突起部２及びカール部３を把持し、空間部３ａを両者が交叉するように押圧して、リング部１の最大外径Ｌを縮小して調整する。また逆にイヤリングＡが全体的に狭小と感じたときは、図８（ｂ）に示すように、両手の指先Ｆ１、Ｆ２でイヤリングＡの突起部２及びカール部３の下方を把持し、空間部３ａを同時に外方に引き離すようにし、最大外径Ｌを拡大して調整する。【００２８】  耳部のダイエット効果ある、他のつぼ飢点５へのイヤリングＡの装着手順は、胃点４への装着とほぼ同様なのでその説明は省略する。胃点４又は飢点５の装着については着用者の感覚等で、胃点４又は飢点５を交互にするか、一定期間同じつぼにするか選択されるが、研究データによると、その使用期間は約６週間、継続して使用した後、１〜２週間休止して再使用することが、ダイエット効果上望ましい。【００２９】  イヤリングＡは、合成樹脂素材の透明、白色、乳白色の他、成型時に各種の着色剤を混入して製作されるもので、着用者は好みの色合いのイヤリングＡを１〜複数購入し、その日の着衣に適応するイヤリングＡを装着することができると共に、女性の着用者は、例えばマニキュア、帽子又はハンドバッグ等の携帯物の色彩と適合する色をイヤリングＡに着色したり、吊下げ可能な装飾体（図示しない）を、リング部１に取り付けてアクセサリーとして使用することもできる。
【図面の簡単な説明】
【００３０】
【図１】は、本考案に係る、イヤリングＡの全体構成を示す正面図である。
【図２】は、同平面図である。
【図３】は、図２における３−３線断面図である。
【図４】は、図１における４−４線断面図である。
【図５】（ａ）〜（ｆ）は、アタッチメントの各種形状を例示する斜視図である。
【図６】は、耳部における主なつぼの部位を示す正面図である。
【図７】（ａ）、（ｂ）、（ｃ）は、イヤリングＡの装着と使用態様を示す正面図である。
【図８】（ａ）、（ｂ）は、イヤリングＡの大きさ調整の態様を示す正面図である。
【図９】は、従来例を示す斜視図である。
【符号の説明】
【００３１】Ａ              イヤリング
１              リング部
２              突起部
３              カール部
４              胃点
５              飢点
６              子宮
７              神門
８              肺点
９              内分泌点
２ａ            支持部
２ｂ            アタッチメント
３ａ            空間部
【図１】
0003126179.tif 000003
【図２】
0003126179.tif 000004
【図３】
0003126179.tif 000005
【図４】
0003126179.tif 000006
【図５】
0003126179.tif 000007
【図６】
0003126179.tif 000008
【図７】
0003126179.tif 000009
【図８】
0003126179.tif 000010
【図９】
0003126179.tif 000011